(57)【要約】【課題】  共用性を高める両用メモリーカード接続器を提供する。【解決手段】  下部１０は前方に挿入溝１１があり、上方に欠き穴１２があり、両側にばね挟みアーム１３があり、ばね挟みアーム１３の挟み持ち部１３１は挿入溝１１両側で相対し、挿入溝１１内にはガイド片１４が設けられて下部１０後端まで延び、下部１０両側にはボッチ１５がある。上蓋２０はボッチ１５に対応するひっかけ孔２１を有し、蓋面に抑えひっかけ片２２を有する。抑えひっかけ片２２は欠き穴１２に対応して凹弧２２１を形成し、挟み持ち部１３１に相対してストッパーボディ２３を有する。ＭＳ  Ｄｕｏカード２を挿入溝１１に入れた際、ばね挟みアーム１３は抑えひっかけ片２２で位置決めされ、ＭＳ  Ｄｕｏカード２を位置決めする。ＭＳカード３を挿入溝１１に入れた際、抑えひっかけ片２２がストッパーボディ２３を挟み持ち部１３１から脱離させ、ＭＳカード３を位置決めする。【選択図】  図１
0003105475.tif 000002
【実用新案登録請求の範囲】
【請求項１】
両用のメモリーカード接続器であって、
ひとつの下部を備え、その下部は前方に挿入溝の台座ボディを備え、上方には欠き穴があり、両側にはばね挟みアームがあり、そのばね挟みアームの挟み持ち部は互いに挿入溝両側に於いて相対して向かい合い、挿入溝内側にはいくつかのガイド片が設けられて下部後端にまで延び、下部両側には組み立てに用いるボッチが形成され、
ひとつの上蓋を備え、その上蓋は金属シェルボディとなり、両側には下部のボッチに於いてひっかけ孔を有し、蓋面に於いて抑えひっかけ片を有するよう形成され、抑えひっかけ片を下部の欠き穴に対応させて形成し挿入溝上方の凹孤まで延ばし、その抑えひっかけ片はばね挟みアームの挟み持ち部に相対してストッパーボディを有し、
比較的体積の小さいＭＳ  Ｄｕｏカードを挿入溝に入れた際、ばね挟みアームは抑えひっかけ片により位置が定められて挟み持たれ、ＭＳ  Ｄｕｏカードを挟み持って位置を定め、比較的体積の大きなＭＳカードを挿入溝に入れた際、下から支える抑えひっかけ片が前記ストッパーボディを挟み持ち部から離れさせ、ＭＳカードを挿入させ位置を定めることを特徴とする両用メモリーカード接続器。
【請求項２】
前記抑えひっかけ片のストッパーボディの構成は、挟み持ち部の上方凸部に於いて相対して設けられたひとつのストッパー孔を含むことを特徴とする請求項１に記載の両用メモリーカード接続器。
【請求項３】
前記抑えひっかけ片のストッパーボディの構成は、挟み持ち部外側に於いて相対して設けられたひとつのストッパー片を含むことを特徴とする請求項１に記載の両用メモリーカード接続器。
【考案の詳細な説明】
【技術分野】
【０００１】
本考案は一種の両用メモリーカード接続器と関係があり、さらに一種のＳＯＮＹ（登録商標）専属規格であるＭＳ（Memory Stick）カード及びもうひとつの規格であるＭＳ  Ｄｕｏカードを共用できるよう設計されたものに関する。
【背景技術】
【０００２】
デジタル製品の不断なる研究開発に伴い、例えば、ＰＤＡ、デジタルビデオカメラ、デジタルカメラ、電子字典等が次第に普及してきており、またこれらのデジタル製品の長所は拡張カードスロットを備えていることであり、メモリーカードを挿入することができ、例えばCF(Compact Flash)、SM(Smart Media：登録商標)、SD(Securse Digital)、MMC等のブランドでもって製品の功能性を向上させることができる。
【０００３】
そして、現在のデジタル製品の多数は某種の規格のメモリーカードしか使用できず、これらの従来のメモリーカード接続器は、単一規格のメモリーカードに対して設計されたものであり、また他種規格のメモリーカードの接続使用はままならず、その使用には限界があった。
【考案の開示】
【考案が解決しようとする課題】
【０００４】
本考案の主要な目的は、ＳＯＮＹが独自に出しているＭＳ(Memory Stick)メモリーカードに対して設計した接続器であり、且つこのひとつの接続器は同時にもうひとつの規格のＭＳ  Ｄｕｏカードも使用することができ、そのデジタル製品との共用性を高める両用メモリーカード接続器を提供することにある。
【課題を解決するための手段】
【０００５】
上述の目的を達するため、本考案の両用メモリーカード接続器は以下のものを含む。
ひとつの下部は、前方に挿入溝の台座ボディがあり、その上方には欠き穴が備えられて、両側にはばね挟みアームがあり、このばね挟みアームの挟み持ち部は互いに挿入溝両側に於いて相対して内側に向き、挿入溝内にはいくつかのガイド片が設けられ、これは下部後端まで延びており、又下部両側には組み立てに用いるボッチが形成されている。
【０００６】
ひとつの上蓋は、金属シェルボディとなっており、その両側には下部のボッチに於いてひっかけ孔を有しており、蓋面は抑えひっかけ片を形成している。また抑えひっかけ片が下部の欠き穴に対応して挿入溝上方に延びて凹弧を形成しており、且つこの抑えひっかけ片はばね挟みアームの挟み持ち部に於いて相対し、ストッパーボディを有している。
【０００７】
そして比較的体積の小さいＭＳ  Ｄｕｏカードを挿入溝に入れた際、ばね挟みアームは抑えひっかけ片により位置が定められ、またＭＳ  Ｄｕｏカードを挟み持って位置を定め、もうひとつの比較的体積の大きなＭＳカードを挿入溝に入れた際、下から支える抑えひっかけ片がそのストッパーボディを挟み持ち部から脱離させ、ＭＳカードを挿入させることで位置を定める。
【０００８】
前掲の特徴に依拠し、抑えひっかけ片のストッパーボディの構成は、挟み持ち部上方凸部に於いて相対して設けられたひとつのストッパー孔を含む。
又、その抑えひっかけ片のストッパーボディのもうひとつの構成には、挟み持ち部外側に於いてひとつのストッパー片を設けているものが含まれる。
【考案を実施するための最良の形態】
【０００９】
まず、図１から図４に示すように、本考案の一実施例による接続器１は以下のものを含む。
ひとつの下部１０は、前方に挿入溝１１の台座ボディを備えている。その上方には欠き穴１２を有し、両側にはばね挟みアーム１３を備えている。そのばね挟みアーム１３の挟み持ち部１３１は挿入溝１１両側において互いに内側に向かって対応しており、且つ挿入溝１１内にはいくつかのガイド片１４が設けられて、下部１０後端にまで伸ばされており、又下部１０両側には組付けに用いるボッチ１５が形成されている。
【００１０】
ひとつの上蓋２０は、金属シェルボディとなっており、その両側には下部１０のボッチ１５に於いて対応するように引っ掛け孔２１が設けられている。蓋面に於いては抑えひっかけ片２２を形成しており、また抑えひっかけ片２２は下部１０の欠き穴１２に於いて対応するように挿入溝１１上方に延びて凹孤２２１を形成しており、且つその抑えひっかけ片２２はばね挟みアーム１３の挟み持ち部１３１に於いてストッパーボディ２３を有している。
【００１１】
前述の抑えひっかけ片２２のストッパーボディ２３の構成としては、挟み持ち部１３１上方の凸部１３２にストッパー孔２３１が設けられている。即ち図５、６に示す如く、常態時はこのストッパー孔２３１は凸部１３２上に被さり、ばね挟みアーム１３が位置を変えるのを防ぎ、更に左右２個の挟み持ち部１３１を挿入溝１１両側内で伸ばして、ひとつの比較的狭い収容空間を形成し、ちょうどＭＳ  Ｄｕｏカード２が挿入使用可能となる。
【００１２】
又、図７、８に示す如く、ＭＳカード３を使用の際は、挿入溝１１の幅及び高さがＭＳカード３に合うように設定されており、従ってこのＭＳカード３を挿入した際、まず上蓋２０の抑えひっかけ片２２前縁の凹孤２２１に接触し、また抑えひっかけ片２２を支え持ってひとつの角度に持ち上げ、更にストッパー孔２３１を挟み持ち部１３１上方の凸部１３２から離し、ばね挟みアーム１３の挟み持ち部１３１を開き、ＭＳカード３をスムーズに挿入溝１１に挿入させ、ガイド片１４と電気的接触を形成する。図９〜１２はそれぞれ図６、８のＡ−Ａ、Ｂ−Ｂ、Ｃ−Ｃ、Ｄ−Ｄに対応した側面図または断面図である。
【００１３】
これにより、本実施例は下部１０のばね挟みアーム１３が上蓋２０のストッパー孔２３１に合わせられる設計により、体積の比較的小さいＭＳ  Ｄｕｏカード２を使用することができ、同時に又体積の比較的大きいＭＳカード３を支え持って広げて使用することができ、ひとつでふたつ用いることができる効用を増進させることに至る。
【００１４】
図１３に示すのは本考案のもうひとつの行っても良い実施例であって、それはおおよそ前掲の実施例と同じであり、またもう一種の抑えひっかけ片２２のストッパーボディ２３の構成は、挟み持ち部１３１に於いてその両外側のストッパー片２３２を含み、これにより、それとストッパー孔２３１は一石二鳥の妙を有し、即ち常態時にはストッパー片２３２は挟み持ち部１３１外側に於いて、挿入溝１１でＭＳ  Ｄｕｏカード２を使用することができるようにする。ＭＳカード３を挿入した際は、抑えひっかけ片２２を支え持ち、両側のストッパー片２３２を上に上げ挟み持ち部１３１から離れさせ、ＭＳカード３をスムーズに挿入溝１１に挿入させ使用することができる。
【図面の簡単な説明】
【００１５】
【図１】本考案の一実施例による両用メモリーカード接続器の分解立体図である。
【図２】本考案の一実施例による両用メモリーカード接続器を組合わせた状態を示す立体図である。
【図３】本考案の一実施例による両用メモリーカード接続器の平面図である。
【図４】本考案の一実施例による両用メモリーカード接続器の正面図である。
【図５】本考案の一実施例による両用メモリーカード接続器にＭＳ  Ｄｕｏカードを使用した状態を示す平面図である。
【図６】本考案の一実施例による両用メモリーカード接続器にＭＳ  Ｄｕｏカードを使用した状態を示す正面図である。
【図７】本考案の一実施例による両用メモリーカード接続器にＭＳカードを使用した状態を示す平面図である。
【図８】本考案の一実施例による両用メモリーカード接続器にＭＳカードを使用した状態を示す正面図である。
【図９】図６中のＡ−Ａ方向から見た側面図である。
【図１０】図６中のＢ−Ｂ断面図である。
【図１１】図８中のＣ−Ｃ方向から見た側面図である。
【図１２】図８中のＤ−Ｄ断面図である。
【図１３】本考案のもうひとつの実施例による両用メモリーカード接続器の立体図である。
【符号の説明】
【００１６】
１  接続器、２  ＭＳ  Ｄｕｏカード、３  ＭＳカード、１０  下部、１１  挿入溝、１２  欠き穴、１３  ばね挟みアーム、１４  ガイド片、１５  ボッチ、２０  上蓋、２１  引っ掛け孔、２２  抑えひっかけ片、２３  ストッパーボディ、１３１  挟み持ち部、１３２  凸部、２２１  凹孤、２３１  ストッパー孔、２３２  ストッパー片
【図１】
0003105475.tif 000003
【図２】
0003105475.tif 000004
【図３】
0003105475.tif 000005
【図４】
0003105475.tif 000006
【図５】
0003105475.tif 000007
【図６】
0003105475.tif 000008
【図７】
0003105475.tif 000009
【図８】
0003105475.tif 000010
【図９】
0003105475.tif 000011
【図１０】
0003105475.tif 000012
【図１１】
0003105475.tif 000013
【図１２】
0003105475.tif 000014
【図１３】
0003105475.tif 000015
【手続補正書】
【提出日】平成16年7月9日(2004.7.9)
【手続補正１】
【補正対象書類名】実用新案登録請求の範囲
【補正対象項目名】請求項１
【補正方法】変更
【補正の内容】
【請求項１】
両用のメモリーカード接続器であって、
ひとつの下部を備え、その下部は前方に挿入溝の台座ボディを備え、上方には欠き穴があり、両側にはばね挟みアームがあり、そのばね挟みアームの挟み持ち部は互いに挿入溝両側に於いて相対して向かい合い、挿入溝内側にはいくつかのガイド片が設けられて下部後端にまで延び、下部両側には組み立てに用いるボッチが形成され、
ひとつの上蓋を備え、その上蓋は金属シェルボディとなり、両側には下部のボッチに於いてひっかけ孔を有し、蓋面に於いて抑えひっかけ片を有するよう形成され、抑えひっかけ片を下部の欠き穴に対応させて形成し挿入溝上方の凹孤まで延ばし、その抑えひっかけ片はばね挟みアームの挟み持ち部に相対してストッパーボディを有し、
比較的体積の小さい第一記憶カードを挿入溝に入れた際、ばね挟みアームは抑えひっかけ片により位置が定められて挟み持たれ、第一記憶カードを挟み持って位置を定め、比較的体積の大きな第二記憶カードを挿入溝に入れた際、下から支える抑えひっかけ片が前記ストッパーボディを挟み持ち部から離れさせ、第二記憶カードを挿入させ位置を定めることを特徴とする両用メモリーカード接続器。